(57)【要約】  本発明は、上位から下位へ又は下位から上位への双方向に保護協調を行うことができ、複数の上下位の回路遮断器間の保護協調のための配線数を最小限に抑えることができる、低圧系統における複数の回路遮断器の保護協調装置を提供するものであり、本発明による保護協調装置は、最上位電力回路と上位電力回路間の第１分岐回路に接続され、通信部を有する少なくとも１つの上位低圧回路遮断器と、上位電力回路と下位電力回路間の第２分岐回路に接続され、通信部を有する少なくとも１つの中位低圧回路遮断器と、下位電力回路と最下位電力回路間の第３分岐回路に接続され、通信部を有する少なくとも１つの下位低圧回路遮断器と、上位低圧回路遮断器、中位低圧回路遮断器及び下位低圧回路遮断器を通信接続する通信線路とを含み、上位低圧回路遮断器、中位低圧回路遮断器及び下位低圧回路遮断器は、接続された分岐回路に異常電流が発生して回路を自動遮断するトリップ動作を行う際に、予め定められた回路遮断器の少なくともいずれかに、前記通信線路を介して、トリップ動作状態を報告する通信パケットを送信する制御部を含む。
2021516524.tif 000002
【特許請求の範囲】
【請求項１】
低圧系統における複数の回路遮断器の保護協調装置において、
最上位電力回路と上位電力回路間の第１分岐回路に接続され、通信部を有する少なくとも１つの上位低圧回路遮断器と、
前記上位電力回路と下位電力回路間の第２分岐回路に接続され、通信部を有する少なくとも１つの中位低圧回路遮断器と、
前記下位電力回路と最下位電力回路間の第３分岐回路に接続され、通信部を有する少なくとも１つの下位低圧回路遮断器と、
前記上位低圧回路遮断器、前記中位低圧回路遮断器及び前記下位低圧回路遮断器を通信接続する通信線路とを含み、
前記上位低圧回路遮断器、前記中位低圧回路遮断器及び前記下位低圧回路遮断器は、トリップ動作時、予め定められた前記上位低圧回路遮断器、前記中位低圧回路遮断器及び前記下位低圧回路遮断器の少なくともいずれかに、前記通信線路を介して、トリップ動作状態を報告する通信パケットを送信する制御部を含むことを特徴とする低圧系統における複数の回路遮断器の保護協調装置。
【請求項２】
前記上位低圧回路遮断器、前記中位低圧回路遮断器及び前記下位低圧回路遮断器は、イーサネット通信線路により閉ループ状に互いに接続されるように構成されることを特徴とする請求項１に記載の低圧系統における複数の回路遮断器の保護協調装置。
【請求項３】
前記上位低圧回路遮断器、前記中位低圧回路遮断器及び前記下位低圧回路遮断器は、高速デュアルリング通信ネットワークで接続されることを特徴とする請求項１に記載の低圧系統における複数の回路遮断器の保護協調装置。
【請求項４】
前記制御部は、ＲＳＴＰ（Rapid Spanning Tree Protocol）アルゴリズムを格納するプログラム格納部を含むことを特徴とする請求項１に記載の低圧系統における複数の回路遮断器の保護協調装置。
【請求項５】
前記上位低圧回路遮断器、前記中位低圧回路遮断器及び前記下位低圧回路遮断器の少なくともいずれかに単方向通信のための開ループ状に追加接続され、外部の他の通信ネットワーク又は上位監視装置に通信接続される低圧回路遮断器をさらに含むことを特徴とする請求項１に記載の低圧系統における複数の回路遮断器の保護協調装置。
【請求項６】
前記通信パケットは、送信先回路遮断器の識別情報、送信先回路遮断器に対するトリップ指令情報又は送信元回路遮断器の状態情報、及び送信元回路遮断器の識別情報を含むことを特徴とする請求項１に記載の低圧系統における複数の回路遮断器の保護協調装置。
【請求項７】
前記トリップ指令情報は、短限時遅延トリップ情報（short time delay trip information）、地絡遅延トリップ情報（ground fault delay trip information）及び長限時遅延トリップ情報（long time delay trip information）のいずれかで構成されることを特徴とする請求項６に記載の低圧系統における複数の回路遮断器の保護協調装置。
【請求項８】
前記送信元回路遮断器の状態情報は、前記送信元回路遮断器の動作状態情報及び自己診断情報を含むことを特徴とする請求項６に記載の低圧系統における複数の回路遮断器の保護協調装置。
【発明の詳細な説明】
【技術分野】
【０００１】
本発明は、低圧系統における複数の上下位の回路遮断器間の効率的な保護協調のための装置に関する。
【背景技術】
【０００２】
従来技術による低圧系統における複数の回路遮断器の保護協調装置の構成を示すブロック図である図１を参照して説明する。
【０００３】
図１に示すように、低圧系統は、上位電力線路ＰＬ２と下位電力線路ＰＬ１とを含む。
【０００４】
ここで、上位電力線路ＰＬ２は送電側、すなわち電源側に近い電力線路であり、下位電力線路ＰＬ１は受電側、すなわち負荷側又は最終の電力使用者に近い電力線路である。
【０００５】
図１において、符号ＤＬ１は、最上位電力線路（図示せず）と上位電力線路ＰＬ２間に接続され、前記最上位電力線路からの電力を上位電力線路ＰＬ２に供給する第１分岐線路である。
【０００６】
図１において、符号ＤＬ２は、上位電力線路ＰＬ２と下位電力線路ＰＬ１間に接続され、上位電力線路ＰＬ２からの電力を下位電力線路ＰＬ１に供給する第２分岐線路であり、符号ＤＬ３及び符号ＤＬ４は、それぞれ下位電力線路ＰＬ１と複数の負荷（電力需要家）（図示せず）間に接続され、下位電力線路ＰＬ１からの電力を前記複数の負荷（電力需要家）に供給する第３分岐線路である。
【０００７】
第１分岐線路ＤＬ１には、当該第１分岐線路ＤＬ１を開閉できるように、上位回路遮断器３０が直列に接続される。
【０００８】
第２分岐線路ＤＬ２には、当該第２分岐線路ＤＬ２を開閉できるように、中位回路遮断器２０が直列に接続される。
【０００９】
第３分岐線路ＤＬ３、ＤＬ４には、当該第３分岐線路ＤＬ３、ＤＬ４をそれぞれ開閉できるように、２台の下位回路遮断器１０−１、１０−２が直列に接続される。
【００１０】
図１において、符号ＳＬ１は、上位回路遮断器３０と中位回路遮断器２０間の信号通信のための第１通信線路である。
【００１１】
符号ＳＬ２は、中位回路遮断器２０と下位回路遮断器１０−１、１０−２間の信号通信のための第２通信線路である。
【００１２】
符号ＳＬ１ａは、上位回路遮断器３０又は中位回路遮断器２０が信号通信のために第１通信線路ＳＬ１に接続するための第１接続信号線路であり、符号ＳＬ２ａは、中位回路遮断器２０又は下位回路遮断器１０−１、１０−２が信号通信のために第２通信線路ＳＬ２に接続するための第２接続信号線路である。
【００１３】
符号ＣＣＬは、入力がないことを示すように入力端子と共通端子（コモン端子）を接続する共通接続線路である。
【００１４】
それぞれの上位回路遮断器３０、中位回路遮断器２０及び下位回路遮断器１０−１、１０−２において、符号Ｚ１は、共通端子であり、符号Ｚ２は、故障区間の局地化のためのゾーン選択インタロック（Zone Selective Interlock）信号の出力端子であるゾーン選択インタロック信号出力端子であり、符号Ｚ３は、共通端子であり、符号Ｚ４は、ゾーン選択インタロック信号入力端子であり、符号Ｚ５は、地絡専用入力端子である。
【００１５】
前述した従来技術による低圧系統における複数の回路遮断器の保護協調装置の動作について説明する。
【００１６】
図１において、ポイントＡ｛第２分岐線路ＤＬ２上の一地点であるＡ地点｝で過電流、短絡電流、地絡などの故障が発生すると、第２分岐線路ＤＬ２上に接続された中位回路遮断器２０は、その故障を検出して自動回路遮断（トリップ）動作を行うことにより、上位電力線路ＰＬ２から下位電力線路ＰＬ１への電源供給を遮断する。
【００１７】
よって、下位電力線路ＰＬ１から電源が供給されていた下位回路遮断器１０−１、１０−２と当該下位回路遮断器１０−１、１０−２を介して電源が供給されていた負荷（図示せず）側は停電状態となる。
【００１８】
それと同時に、中位回路遮断器２０は、共通端子Ｚ１及びゾーン選択インタロック信号出力端子Ｚ２を介して故障区間の局地化のためのゾーン選択インタロック信号を出力する。
【００１９】
すると、上位回路遮断器３０は、共通端子Ｚ３、ゾーン選択インタロック信号入力端子Ｚ４及び地絡専用入力端子Ｚ５を介してゾーン選択インタロック信号を受信し、中位回路遮断器２０がトリップ動作した状態であると判断する。
【００２０】
一方、中位回路遮断器２０がトリップ動作に失敗した場合、ゾーン選択インタロック信号を受信した上位回路遮断器３０は、トリップ動作を行うことにより、最上位電力線路（図示せず）から上位電力線路ＰＬ２への電源供給を遮断する。
【００２１】
また、中位回路遮断器２０が先にトリップ動作を試み、その後上位回路遮断器３０がトリップ動作を行うように、中位回路遮断器２０のトリップ設定時間（短限時又は長限時、０．２秒）を上位回路遮断器３０のトリップ設定時間（０．３秒）より短くしてもよい。
【００２２】
このとき、上位電力線路ＰＬ２から電源が供給されていた中位回路遮断器２０、下位回路遮断器１０−１、１０−２及び当該下位回路遮断器１０−１、１０−２を介して電源が供給されていた負荷（図示せず）側は停電状態となる。
【００２３】
図１において、ポイントＢ｛第１分岐線路ＤＬ１上の一地点であるＢ地点｝で過電流、短絡電流、地絡などの故障が発生すると、第１分岐線路ＤＬ１上に接続された上位回路遮断器３０は、その故障を検出して自動回路遮断（トリップ）動作を行うことにより、最上位電力線路（図示せず）から上位電力線路ＰＬ２への電源供給を遮断する。
【００２４】
しかし、前述した従来技術による低圧系統における複数の回路遮断器の保護協調装置においては、上位の回路遮断器がトリップ動作した場合、上位の回路遮断器が下位の回路遮断器にゾーン選択インタロック信号を送信しないので、下位の回路遮断器とそれより下位の負荷側は何らの情報もなく停電するという問題、すなわち保護協調が下位から上位への一方向にのみ行われるという問題があった。
【００２５】
また、前述した従来技術による低圧系統における複数の回路遮断器の保護協調装置においては、上下位の回路遮断器間の保護協調のために、それぞれの回路遮断器に５つの信号端子と５本の信号線が配線されなければならないので、配線数が多くなり、配線占有空間と配線コストが増加し、配線作業に長時間かかるという問題があった。
【発明の概要】
【発明が解決しようとする課題】
【００２６】
よって、本発明は、前述した従来技術の問題を解決するためになされたものであり、上位から下位へ又は下位から上位への双方向に保護協調を行うことができ、複数の上下位の回路遮断器間の保護協調のための配線数を最小限に抑えることができる、低圧系統における複数の回路遮断器の保護協調装置を提供することを目的とする。
【課題を解決するための手段】
【００２７】
上記目的を達成するために、本発明は、低圧系統における複数の回路遮断器の保護協調装置において、最上位電力回路と上位電力回路間の第１分岐回路に接続され、通信部を有する少なくとも１つの上位低圧回路遮断器と、前記上位電力回路と下位電力回路間の第２分岐回路に接続され、通信部を有する少なくとも１つの中位低圧回路遮断器と、前記下位電力回路と最下位電力回路間の第３分岐回路に接続され、通信部を有する少なくとも１つの下位低圧回路遮断器と、前記上位低圧回路遮断器、前記中位低圧回路遮断器及び前記下位低圧回路遮断器を通信接続する通信線路とを含み、前記上位低圧回路遮断器、前記中位低圧回路遮断器及び前記下位低圧回路遮断器は、トリップ動作時、予め定められた前記上位低圧回路遮断器、前記中位低圧回路遮断器及び前記下位低圧回路遮断器の少なくともいずれかに、前記通信線路を介して、トリップ動作状態を報告する通信パケットを送信する制御部を含む、保護協調装置を提供する。
【００２８】
本発明の好ましい一態様によれば、前記上位低圧回路遮断器、前記中位低圧回路遮断器及び前記下位低圧回路遮断器は、イーサネット通信線路により閉ループ状に互いに接続されるように構成される。
【００２９】
本発明の好ましい他の態様によれば、前記上位低圧回路遮断器、前記中位低圧回路遮断器及び前記下位低圧回路遮断器は、高速デュアルリング（Dual Ring）通信ネットワークで接続される。
【００３０】
本発明の好ましいさらに他の態様によれば、前記制御部は、ＲＳＴＰ（Rapid Spanning Tree Protocol）アルゴリズムを格納するプログラム格納部を含む。
【００３１】
本発明の好ましいさらに他の態様によれば、本発明による保護協調装置は、前記上位低圧回路遮断器、前記中位低圧回路遮断器及び前記下位低圧回路遮断器の少なくともいずれかに単方向通信のための開ループ状に追加接続され、外部の他の通信ネットワーク又は上位監視装置に通信接続される低圧回路遮断器をさらに含む。
【００３２】
本発明の好ましいさらに他の態様によれば、前記通信パケットは、送信先（destination）回路遮断器の識別情報、送信先回路遮断器に対するトリップ指令情報又は送信元（source）回路遮断器の状態情報、及び送信元回路遮断器の識別情報を含む。
【００３３】
本発明の好ましいさらに他の態様によれば、前記トリップ指令情報は、短限時遅延トリップ情報（short time delay trip information）、地絡遅延トリップ情報（ground fault delay trip information）及び長限時遅延トリップ情報（long time delay trip information）のいずれかで構成される。
【００３４】
本発明の好ましいさらに他の態様によれば、前記送信元回路遮断器の状態情報は、前記送信元回路遮断器の動作状態情報及び自己診断情報（self diagnosis information）を含む。
【発明の効果】
【００３５】
本発明による保護協調装置において、上位低圧回路遮断器、中位低圧回路遮断器及び下位低圧回路遮断器は、トリップ動作時、上位低圧回路遮断器、中位低圧回路遮断器及び下位低圧回路遮断器の少なくともいずれかに、通信線路を介して、トリップ動作状態を報告する通信パケットを送信する制御部を含むので、上位から下位へ又は下位から上位への双方向に保護協調を行うことができ、複数の上下位の回路遮断器間の保護協調のための配線が１線又は２線の通信線路で構成されるので、配線数を最小限に抑えることができるという効果がある。
【００３６】
本発明による保護協調装置において、上位低圧回路遮断器、中位低圧回路遮断器及び下位低圧回路遮断器は、イーサネット通信線路により閉ループ状に互いに接続されるように構成されるので、上位低圧回路遮断器から下位低圧回路遮断器へ又は下位低圧回路遮断器から上位低圧回路遮断器への双方向通信を行うことができるという効果がある。
【００３７】
本発明による保護協調装置において、上位低圧回路遮断器、中位低圧回路遮断器及び下位低圧回路遮断器は、高速デュアルリング通信ネットワークで接続されるので、上位低圧回路遮断器から下位低圧回路遮断器へ又は下位低圧回路遮断器から上位低圧回路遮断器への双方向通信を行うことができ、高速通信を行うことができるという効果がある。
【００３８】
本発明による保護協調装置において、前記制御部は、ＲＳＴＰアルゴリズムを格納するプログラム格納部を含むので、ＲＳＴＰプロトコルに従って通信パケットを生成、送信、格納又は受信する処理を行うことができるという効果がある。
【００３９】
本発明による保護協調装置は、上位低圧回路遮断器、中位低圧回路遮断器及び下位低圧回路遮断器の少なくともいずれかに単方向通信のための開ループ状に接続されるさらなる低圧回路遮断器を含むので、当該さらに接続される低圧回路遮断器をハブ又はネットワークスイッチに接続して前記閉ループ状のネットワークに関する情報を他の通信ネットワーク又は上位監視装置に送信することができるという効果がある。
【００４０】
本発明による保護協調装置において、前記通信パケットは、送信先回路遮断器の識別情報、送信先回路遮断器に対するトリップ指令情報又は送信元回路遮断器の状態情報、及び送信元回路遮断器の識別情報を含むので、前記送信元回路遮断器の識別情報が回路遮断器自身を示すものである場合、受信した通信パケットを廃棄したり、前記送信先回路遮断器の識別情報が回路遮断器自身を示すものでない場合、受信した通信パケットを隣接する回路遮断器に転送することができるという効果がある。
【００４１】
本発明による保護協調装置において、前記トリップ指令情報は、短限時遅延トリップ情報、地絡遅延トリップ情報及び長限時遅延トリップ情報のいずれかで構成されるので、短限時遅延トリップ、地絡遅延トリップ及び長限時遅延トリップのうち選択的保護協調によるトリップ動作を相手回路遮断器に要求することができるという効果がある。
【００４２】
本発明による保護協調装置において、前記送信元回路遮断器の状態情報は、前記送信元回路遮断器の動作状態情報及び自己診断情報を含むので、前記送信先回路遮断器は前記送信元回路遮断器の動作状態及び自己診断結果を知ることができるという効果がある。
【図面の簡単な説明】
【００４３】
【図１】従来技術による低圧系統における複数の回路遮断器の保護協調装置の構成を示すブロック図である。
【図２】本発明の好ましい実施形態による低圧系統における複数の回路遮断器の保護協調装置の構成を示すブロック図である。
【図３】本発明による通信パケットの構成図である。
【発明を実施するための形態】
【００４４】
前述した本発明の目的とそれを達成する本発明の構成及びその作用効果は、添付図面を参照する本発明の好ましい実施形態についての以下の説明によりさらに明らかになるであろう。
【００４５】
図２は本発明の好ましい実施形態による低圧系統における複数の回路遮断器の保護協調装置の構成を示すブロック図であり、図３は本発明による通信パケットの構成図である。
【００４６】
図２に示すように、本発明の好ましい実施形態による保護協調装置は、少なくとも１つの上位低圧回路遮断器３０、少なくとも１つの中位低圧回路遮断器２０、少なくとも１つの下位低圧回路遮断器１０−１、１０−２及び通信線路ＤＲを含む。
【００４７】
本発明の好ましい実施形態によれば、上位低圧回路遮断器３０、中位低圧回路遮断器２０及び下位低圧回路遮断器１０−１、１０−２は、それぞれ制御部３０ａ、２０ａ、１０−１ａ、１０−２ａを含む。
【００４８】
図２において、符号ＰＬ２は上位電力回路を示し、符号ＰＬ１は下位電力回路を示す。
【００４９】
ここで、上位電力回路ＰＬ２は送電側、すなわち電源側に近い電力線路であり、下位電力回路ＰＬ１は受電側、すなわち負荷側又は最終の電力使用者に近い電力線路である。
【００５０】
図２において、符号ＵＭ ＰＬ（Uppermost Poser Line）は、最上位電力回路であり、送電側、すなわち電源側に最も近い電力線路を示し、符号ＬＭ ＰＬ（Lowermost Power Line）は、最下位電力回路であり、受電側、すなわち負荷側又は最終の電力使用者に最も近い電力線路を示す。
【００５１】
上位低圧回路遮断器３０は、最上位電力回路ＵＭ ＰＬと上位電力回路ＰＬ２間の第１分岐回路ＤＬ１に接続される。
【００５２】
上位低圧回路遮断器３０は、開閉位置（すなわち、ＯＮ位置、ＯＦＦ又はトリップ位置）によって、第１分岐回路ＤＬ１を接続（第１分岐回路を閉路状態にする）又は遮断（第１分岐回路を開路状態にする）することができる。
【００５３】
上位低圧回路遮断器３０は、通信部Ｐ１、Ｐ２を有する。
【００５４】
また、上位低圧回路遮断器３０は、制御部３０ａを含む。
【００５５】
制御部３０ａは、マイクロプロセッサ又はマイクロコンピュータを含み、中央処理装置などの制御及び処理手段と、メモリなどのプログラム又はデータ格納手段とを含んでもよい。
【００５６】
上位低圧回路遮断器３０が接続された第１分岐回路ＤＬ１に過電流や短絡電流などの異常電流が発生して回路を自動遮断するトリップ動作を行う際に、制御部３０ａは、予め定められた中位低圧回路遮断器２０及び下位低圧回路遮断器１０−２の少なくとも一方に、通信線路ＤＲを介して、トリップ動作状態を報告する通信パケットを送信する。
【００５７】
本発明の好ましい一態様によれば、制御部３０ａは、ＲＳＴＰアルゴリズム（ＲＳＴＰプログラム）を格納するプログラム格納部を含み、前記通信パケットをＲＳＴＰプロトコルによる通信パケットとして生成して送信するようにしてもよい。
【００５８】
本発明の好ましい他の態様によれば、制御部３０ａは、ＴＣＰ（Transmission Control Protocol）アルゴリズムを格納するプログラム格納部を含み、前記通信パケットをＴＣＰプロトコルによる通信パケットとして生成して送信するようにしてもよい。
【００５９】
前記ＴＣＰプロトコルによる通信パケットは、送信対象低圧回路遮断器の身元情報を有する送信先フィールド、通信パケットの送信元の身元情報を有する送信元フィールド、シーケンス番号、確認応答番号（ＡＣＫ番号）及び通信エラーチェックのためのチェックサムフィールドなどの構造を有するようにしてもよい。
【００６０】
本発明の好ましいさらに他の態様によれば、制御部３０ａは、ＵＤＰ（User Datagram Protocol）アルゴリズムを格納するプログラム格納部を含み、前記通信パケットをＵＤＰプロトコルによる通信パケットとして生成して送信するようにしてもよい。
【００６１】
前記ＵＤＰプロトコルによる通信パケットは、送信対象低圧回路遮断器の身元情報を有する送信先フィールド、通信パケットの送信元の身元情報を有する送信元フィールド、及び通信エラーチェックのためのチェックサムフィールドの構造を有するようにしてもよい。
【００６２】
中位低圧回路遮断器２０は、上位電力回路ＰＬ２と下位電力回路ＰＬ１間の第２分岐回路ＤＬ２に接続される。
【００６３】
中位低圧回路遮断器２０は、開閉位置によって第２分岐回路ＤＬ２を接続又は遮断することができる。
【００６４】
中位低圧回路遮断器２０は、通信部Ｐ１、Ｐ２を有する。
【００６５】
また、中位低圧回路遮断器２０は、制御部２０ａを含む。
【００６６】
制御部２０ａは、マイクロプロセッサ又はマイクロコンピュータを含み、中央処理装置などの制御及び処理手段と、メモリなどのプログラム又はデータ格納手段とを含んでもよい。
【００６７】
中位低圧回路遮断器２０が接続された第２分岐回路ＤＬ２に異常電流が発生して回路を自動遮断するトリップ動作を行う際に、制御部２０ａは、予め定められた上位低圧回路遮断器３０及び下位低圧回路遮断器１０−１の少なくとも一方に、通信線路ＤＲを介して、トリップ動作状態を報告する通信パケットを送信する。
【００６８】
制御部２０ａは、ＲＳＴＰアルゴリズム（ＲＳＴＰプログラム）を格納するプログラム格納部を含み、前記通信パケットをＲＳＴＰプロトコルによる通信パケットとして生成するようにしてもよい。
【００６９】
本発明の好ましい他の態様によれば、制御部２０ａは、ＴＣＰアルゴリズムを格納するプログラム格納部を含み、前記通信パケットをＴＣＰプロトコルによる通信パケットとして生成して送信するようにしてもよい。
【００７０】
前記ＴＣＰプロトコルによる通信パケットは、送信対象低圧回路遮断器の身元情報を有する送信先フィールド、通信パケットの送信元の身元情報を有する送信元フィールド、シーケンス番号、確認応答番号及び通信エラーチェックのためのチェックサムフィールドなどの構造を有するようにしてもよい。
【００７１】
本発明の好ましい他の態様によれば、制御部２０ａは、ＵＤＰアルゴリズムを格納するプログラム格納部を含み、前記通信パケットをＵＤＰプロトコルによる通信パケットとして生成して送信するようにしてもよい。
【００７２】
前記ＵＤＰプロトコルによる通信パケットは、送信対象低圧回路遮断器の身元情報を有する送信先フィールド、通信パケットの送信元の身元情報を有する送信元フィールド、及び通信エラーチェックのためのチェックサムフィールドの構造を有するようにしてもよい。
【００７３】
下位低圧回路遮断器１０−１、１０−２は、下位電力回路ＰＬ１と最下位電力回路ＬＭ ＰＬ間の第３分岐回路ＤＬ３に接続される。
【００７４】
下位低圧回路遮断器１０−１、１０−２は、開閉位置によって第３分岐回路ＤＬ３を接続又は遮断することができる。
【００７５】
下位低圧回路遮断器１０−１、１０−２は、通信部Ｐ１、Ｐ２を有する。
【００７６】
また、下位低圧回路遮断器１０−１、１０−２は、それぞれ制御部１０−１ａ、１０−２ａを含む。
【００７７】
制御部１０−１ａ、１０−２ａは、マイクロプロセッサ又はマイクロコンピュータを含み、中央処理装置などの制御及び処理手段と、メモリなどのプログラム又はデータ格納手段とを含んでもよい。
【００７８】
下位低圧回路遮断器１０−１、１０−２が接続された第３分岐回路ＤＬ３に異常電流が発生して回路を自動遮断するトリップ動作を行う際に、制御部１０−１ａ、１０−２ａは、予め定められた中位低圧回路遮断器２０及び下位低圧回路遮断器１０−２の少なくとも一方又は上位低圧回路遮断器３０及び下位低圧回路遮断器１０−１の少なくとも一方に、通信線路ＤＲを介して、トリップ動作状態を報告する通信パケットを送信する。
【００７９】
すなわち、下位低圧回路遮断器１０−１、１０−２が第１下位低圧回路遮断器１０−１である場合、制御部１０−１ａは、予め定められた中位低圧回路遮断器２０及び第２下位低圧回路遮断器１０−２の少なくとも一方に、通信線路ＤＲを介して、トリップ動作状態を報告する通信パケットを送信する。下位低圧回路遮断器１０−１、１０−２が第２下位低圧回路遮断器１０−２である場合、制御部１０−２ａは、予め定められた上位低圧回路遮断器３０及び第１下位低圧回路遮断器１０−１の少なくとも一方に、通信線路ＤＲを介して、トリップ動作状態を報告する通信パケットを送信する。
【００８０】
制御部１０−１ａ、１０−２ａは、ＲＳＴＰアルゴリズム（ＲＳＴＰプログラム）を格納するプログラム格納部を含み、前記通信パケットをＲＳＴＰプロトコルによる通信パケットとして生成するようにしてもよい。
【００８１】
本発明の好ましい他の態様によれば、制御部１０−１ａ、１０−２ａは、ＴＣＰアルゴリズムを格納するプログラム格納部を含み、前記通信パケットをＴＣＰプロトコルによる通信パケットとして生成して送信するようにしてもよい。
【００８２】
前記ＴＣＰプロトコルによる通信パケットは、送信対象低圧回路遮断器の身元情報を有する送信先フィールド、通信パケットの送信元の身元情報を有する送信元フィールド、シーケンス番号、確認応答番号及び通信エラーチェックのためのチェックサムフィールドなどの構造を有するようにしてもよい。
【００８３】
本発明の好ましい他の態様によれば、制御部１０−１ａ、１０−２ａは、ＵＤＰアルゴリズムを格納するプログラム格納部を含み、前記通信パケットをＵＤＰプロトコルによる通信パケットとして生成して送信するようにしてもよい。
【００８４】
前記ＵＤＰプロトコルによる通信パケットは、送信対象低圧回路遮断器の身元情報を有する送信先フィールド、通信パケットの送信元の身元情報を有する送信元フィールド、及び通信エラーチェックのためのチェックサムフィールドの構造を有するようにしてもよい。
【００８５】
通信線路ＤＲは、上位低圧回路遮断器３０、中位低圧回路遮断器２０及び下位低圧回路遮断器１０−１、１０−２を通信接続する。
【００８６】
本発明の好ましい一態様によれば、上位低圧回路遮断器３０、中位低圧回路遮断器２０及び下位低圧回路遮断器１０−１、１０−２は、イーサネット通信線路により閉ループ状に互いに接続されるように構成される。
【００８７】
すなわち、通信線路ＤＲは、上位低圧回路遮断器３０、中位低圧回路遮断器２０及び下位低圧回路遮断器１０−１、１０−２を閉ループ状に互いに接続するイーサネット通信線路で構成されてもよい。
【００８８】
本発明の好ましい他の態様によれば、上位低圧回路遮断器３０、中位低圧回路遮断器２０及び下位低圧回路遮断器１０−１、１０−２は、高速デュアルリング通信ネットワークで接続される。
【００８９】
すなわち、通信線路ＤＲは、上位低圧回路遮断器３０、中位低圧回路遮断器２０及び下位低圧回路遮断器１０−１、１０−２を互いに接続する高速デュアルリング通信ネットワークで構成されてもよい。
【００９０】
上位低圧回路遮断器３０、中位低圧回路遮断器２０及び下位低圧回路遮断器１０−１、１０−２が閉ループ状の高速デュアルリング通信ネットワークである通信線路ＤＲに通信接続される構成であるので、上位低圧回路遮断器３０、中位低圧回路遮断器２０及び下位低圧回路遮断器１０−１、１０−２のいずれかの回路遮断器が送信する前記通信パケットは、通信線路ＤＲに接続された上位低圧回路遮断器３０、中位低圧回路遮断器２０及び下位低圧回路遮断器１０−１、１０−２の全てに送信される。
【００９１】
図２に示すように、本発明の好ましい実施形態による保護協調装置は、前記上位低圧回路遮断器、前記中位低圧回路遮断器及び前記下位低圧回路遮断器の少なくともいずれかに単方向通信のための開ループ状に追加接続される低圧回路遮断器５をさらに含んでもよい。
【００９２】
低圧回路遮断器５も、前述した通信部Ｐ１、Ｐ２及び制御部５ａを含んでもよい。
【００９３】
上位低圧回路遮断器３０、中位低圧回路遮断器２０及び下位低圧回路遮断器１０−１、１０−２が互いに接続されて前記閉ループ状のネットワークが形成されるのに対して、低圧回路遮断器５は、ハブ又はネットワークスイッチ６に接続され、前記閉ループ状のネットワークを他の通信ネットワーク、又は例えば遠方監視制御装置やデータ取得装置（ＳＣＡＤＡ装置）などの上位監視装置に接続する。
【００９４】
なお、本発明の好ましい一態様によれば、前記通信パケットは、図３に示すように、送信先回路遮断器の識別情報ＤＩＤ、送信先回路遮断器に対するトリップ指令情報又は送信元回路遮断器の状態情報ＩＴＳ／ＳＴ、及び送信元回路遮断器の識別情報ＳＩＤを含んでもよい。
【００９５】
本発明の好ましい一態様によれば、トリップ指令情報ＩＴＳは、短限時遅延トリップ情報、地絡遅延トリップ情報及び長限時遅延トリップ情報のいずれかで構成されてもよい。
【００９６】
本発明の好ましい一態様によれば、送信元回路遮断器の状態情報ＳＴは、送信元回路遮断器のＯＮ又はトリップ／ＯＦＦ動作状態情報及び自己診断情報を含む。
【００９７】
一方、図２を参照して、前述した本発明による低圧系統における複数の回路遮断器の保護協調装置の動作について説明する。
【００９８】
図２において、ポイントＡ｛第２分岐回路ＤＬ２上の一地点であるＡ地点｝で過電流、短絡電流、地絡などの故障が発生すると、第２分岐回路ＤＬ２上に接続された中位回路遮断器２０は、その故障を検出して自動回路遮断（トリップ）動作を行うことにより、上位電力回路ＰＬ２から下位電力回路ＰＬ１への電源供給を遮断する。
【００９９】
よって、下位電力回路ＰＬ１から電源が供給されていた下位回路遮断器１０−１、１０−２と当該下位回路遮断器１０−１、１０−２を介して電源が供給されていた負荷（図示せず）側は停電状態となる。
【０１００】
それと同時に、中位回路遮断器２０は、通信部Ｐ１、Ｐ２を介して通信パケットを送信する。
【０１０１】
ここで、前記通信パケットは、保護協調動作を行う上位低圧回路遮断器３０の身元情報（又はアドレス情報）と、中位回路遮断器２０の身元情報（又はアドレス情報）と、トリップ指令情報（トリップ指令データ）ＩＴＳとして短限時遅延トリップ情報、地絡遅延トリップ情報及び長限時遅延トリップ情報のいずれかと、中位回路遮断器２０の状態情報ＳＴとを含んでもよい。
【０１０２】
すると、上位回路遮断器３０は、通信部Ｐ１、Ｐ２を介して前記通信パケットを受信して中位回路遮断器２０がトリップ動作した状態であると判断し、トリップ指令情報ＩＴＳに基づいて遅延トリップ動作を行う。
【０１０３】
また、本発明による低圧系統における複数の回路遮断器の保護協調装置においては、上位低圧回路遮断器３０、中位低圧回路遮断器２０及び下位低圧回路遮断器１０−１、１０−２が通信線路ＤＲを介して閉ループ状に通信接続されるので、上位低圧回路遮断器３０だけでなく、下位低圧回路遮断器１０−１、１０−２も、前記通信パケットを受信して予め格納されたプログラムに従って中位低圧回路遮断器２０がトリップ動作した状態であると判断し、前記通信パケット全体又は予め定められた情報データ（例えば、中位低圧回路遮断器の状態情報）のみを選択的に格納することができる。
【０１０４】
さらに、下位低圧回路遮断器１０−２に低圧回路遮断器５が開ループ状に追加接続され、低圧回路遮断器５は、ハブ又はネットワークスイッチ６を介して、前記通信パケットによる情報（状態情報、トリップ指令情報など）を他のネットワーク又は上位監視装置に送信して報告することもできる。
【０１０５】
一方、中位回路遮断器２０がトリップ動作に失敗した場合も、前記通信パケットを受信した上位回路遮断器３０が前記トリップ指令情報に基づく遅延トリップ動作を行い、最上位電力回路ＵＭ ＰＬから上位電力回路ＰＬ２への電源供給を遮断することができる。
【０１０６】
このとき、上位電力回路ＰＬ２から電源が供給されていた中位回路遮断器２０、下位回路遮断器１０−１、１０−２及び当該下位回路遮断器１０−１、１０−２を介して電源が供給されていた負荷（図示せず）側は停電状態となる。
【０１０７】
図２において、ポイントＢ｛第１分岐回路ＤＬ１上の一地点であるＢ地点｝で過電流、短絡電流、地絡などの故障が発生すると、第１分岐回路ＤＬ１上に接続された上位回路遮断器３０は、その故障を検出して自動回路遮断（トリップ）動作を行うことにより、最上位電力回路ＵＭ ＰＬから上位電力回路ＰＬ２への電源供給を遮断する。
【０１０８】
また、本発明による低圧系統における複数の回路遮断器の保護協調装置においては、上位低圧回路遮断器３０、中位低圧回路遮断器２０及び下位低圧回路遮断器１０−１、１０−２が通信線路ＤＲを介して閉ループ状に通信接続されるので、中位低圧回路遮断器２０だけでなく、下位低圧回路遮断器１０−１、１０−２も、前記通信パケットを受信して予め格納されたプログラムに従って上位低圧回路遮断器３０がトリップ動作した状態であると判断し、前記通信パケット全体又は予め定められた情報データ（例えば、上位低圧回路遮断器の状態情報）のみを選択的に格納することができる。
【０１０９】
ここで、上位低圧回路遮断器３０、中位低圧回路遮断器２０及び下位低圧回路遮断器１０−１、１０−２は、バッテリ（図示せず）などの一時的な電源供給手段を備え、前記通信パケットを送信、転送、受信及び格納することができる。
【０１１０】
さらに、下位低圧回路遮断器１０−２に低圧回路遮断器５が開ループ状に追加接続され、低圧回路遮断器５は、ハブ又はネットワークスイッチ６を介して、前記通信パケットによる情報（状態情報、トリップ指令情報など）を他のネットワーク又は上位監視装置に送信して報告することもできる。
【０１１１】
前述したように、本発明による保護協調装置において、上位低圧回路遮断器、中位低圧回路遮断器及び下位低圧回路遮断器は、トリップ動作時、上位低圧回路遮断器、中位低圧回路遮断器及び下位低圧回路遮断器の少なくともいずれかに、通信線路を介して、トリップ動作状態を報告する通信パケットを送信する制御部を含むので、上位から下位へ又は下位から上位への双方向に保護協調を行うことができ、複数の上下位の回路遮断器間の保護協調のための配線が１線又は２線の通信線路で構成されるので、配線数を最小限に抑えることができるという効果がある。
【図１】
2021516524.tif 000003
【図２】
2021516524.tif 000004
【図３】
2021516524.tif 000005
【国際調査報告】
2021516524.tif 000006
2021516524.tif 000007
2021516524.tif 000008
2021516524.tif 000009